(57)【要約】【課題】自動車等の車両の盗難を防止する車両盗難防止装置を提供する。【解決手段】読み取り可能エリア内に存在する免許証に付与されている免許証識別情報を読み取る情報読取手段と、免許証識別情報を照合することにより免許証の所有者が車両の運転を許可されている所有者であるか否かを判定する判定手段と、判定結果に基づいて、車両の始動を許可する始動許可手段と、始動許可手段により車両の始動が許可されていない状態において、情報読取手段により住所情報タグに付与されている住所識別情報を所定時間間隔で読み取る住所情報読取手段と、新たに読み取った住所識別情報が、直前に読み取った住所識別情報と異なる場合に、所定の連絡先に通報を行う無線通信手段とを備える。【選択図】図１
2007290594.tif 000002
【特許請求の範囲】
【請求項１】
読み取り可能エリア内に存在する免許証に付与されている免許証識別情報を読み取る情報読取手段と、
前記免許証識別情報を照合することにより前記免許証の所有者が車両の運転を許可されている所有者であるか否かを判定する判定手段と、
前記判定結果に基づいて、前記車両の始動を許可する始動許可手段と
を備えたことを特徴とする車両盗難防止装置。
【請求項２】
前記始動許可手段により前記車両の始動が許可されていない状態において、前記情報読取手段により住所情報タグに付与されている住所識別情報を所定時間間隔で読み取る住所情報読取手段と、
新たに読み取った前記住所識別情報が、直前に読み取った前記住所識別情報と異なる場合に、所定の連絡先に通報を行う無線通信手段と
をさらに備えたことを特徴とする請求項１に記載の車両盗難防止装置。
【請求項３】
読み取り可能エリア内に存在する免許証に付与されている免許証識別情報を読み取る情報読取ステップと、
前記免許証識別情報を照合することにより前記免許証の所有者が車両の運転を許可されている所有者であるか否かを判定する判定ステップと、
前記判定結果に基づいて、前記車両の始動を許可する始動許可ステップと
を有することを特徴とする車両盗難防止方法。
【請求項４】
前記始動許可ステップにより前記車両の始動が許可されていない状態において、前記情報読取ステップにより住所情報タグに付与されている住所識別情報を所定時間間隔で読み取る住所情報読取ステップと、
新たに読み取った前記住所識別情報が、直前に読み取った前記住所識別情報と異なる場合に、所定の連絡先に通報を行う無線通信ステップと
をさらに有することを特徴とする請求項３に記載の車両盗難防止方法。
【発明の詳細な説明】
【技術分野】
【０００１】
本発明は、自動車等の車両の盗難を防止する車両盗難防止装置及び車両盗難防止方法に関する。
【背景技術】
【０００２】
従来から、自動車のイグニッションがＯＮになっていない状態において、自動車が移動したことを検知すると、自動車に備えられた移動通信端末を使用して、自動車位置を監視するシステムが知られている。例えば、複数ゾーン方式の移動体通信システムを利用した位置監視システムにおいて、基地局の通信エリアを単位として位置関係を登録する機能を持たせ、端末機を携帯した人間あるいは端末機を取り付けた物が現在どの基地局との通信エリアにあるかを常時記憶するとともに、位置変化を監視することにより、人や物の位置を監視することができる位置監視システムがある（例えば、特許文献１参照）。
【特許文献１】特開平０８−２２３６３７号公報
【発明の開示】
【発明が解決しようとする課題】
【０００３】
しかしながら、特許文献１に示す位置監視システムにあっては、端末機がどの基地局の通信エリアに存在するかを監視するものであったため、基地局の通信エリアが広い場合は、位置を特定するまでには至らないという問題がある。一般的に基地局の通信エリアは、数百メートルから数キロメートルのエリアであるため、端末機が通信している基地局を特定できたとしても通信エリア内において、目的物を探索するのは困難であるという問題がある。また、端末機が基地局のないエリア（圏外）に移動されてしまうと、端末機の位置を特定することができないという問題があるため、盗難を未然に防止することができる必要がある。
【０００４】
本発明は、このような事情に鑑みてなされたもので、車両の盗難を未然に防ぐとともに、車両が万が一盗難に遭ってしまった場合に、正確な車両の存在位置を知ることができる車両盗難防止装置及び車両盗難防止方法を提供することを目的とする。
【課題を解決するための手段】
【０００５】
本発明は、読み取り可能エリア内に存在する免許証に付与されている免許証識別情報を読み取る情報読取手段と、前記免許証識別情報を照合することにより前記免許証の所有者が車両の運転を許可されている所有者であるか否かを判定する判定手段と、前記判定結果に基づいて、前記車両の始動を許可する始動許可手段とを備えたことを特徴とする。
【０００６】
本発明は、前記始動許可手段により前記車両の始動が許可されていない状態において、前記情報読取手段により住所情報タグに付与されている住所識別情報を所定時間間隔で読み取る住所情報読取手段と、新たに読み取った前記住所識別情報が、直前に読み取った前記住所識別情報と異なる場合に、所定の連絡先に通報を行う無線通信手段とをさらに備えたことを特徴とする。
【０００７】
本発明は、読み取り可能エリア内に存在する免許証に付与されている免許証識別情報を読み取る情報読取ステップと、前記免許証識別情報を照合することにより前記免許証の所有者が車両の運転を許可されている所有者であるか否かを判定する判定ステップと、前記判定結果に基づいて、前記車両の始動を許可する始動許可ステップとを有することを特徴とする。
【０００８】
本発明は、前記始動許可ステップにより前記車両の始動が許可されていない状態において、前記情報読取ステップにより住所情報タグに付与されている住所識別情報を所定時間間隔で読み取る住所情報読取ステップと、新たに読み取った前記住所識別情報が、直前に読み取った前記住所識別情報と異なる場合に、所定の連絡先に通報を行う無線通信ステップとをさらに有することを特徴とする。
【発明の効果】
【０００９】
本発明によれば、免許証に付与されている免許証識別情報を読み取って照合することにより前記免許証の所有者が車両の運転を許可されている所有者であるか否かを判定し、この判定結果に基づいて、車両の始動を許可するようにしたため、車両が不正に運転されて盗難に遭うことを防止したり、加入している自動車保険の条件を満足していない運転者による車両の始動を防止することができるという効果が得られる。
また、車両の始動が許可されていない状態において、車両が移動していることを検知した場合に緊急通報を行うようにしたため、盗難に遭ったことを通報することができるとともに、車両の現在位置を速やかに知ることが可能になるという効果が得られる。
【発明を実施するための最良の形態】
【００１０】
以下、本発明の一実施形態による車両盗難防止装置を図面を参照して説明する。図１は同実施形態の構成を示すブロック図である。この図において、符号Ａは、運転者が所有する免許証である。免許証Ａには、内部にＲＦＩＤ応答器が備えられており、このＲＦＩＤ応答器内には免許証を一意に特定することが可能な免許証識別情報（ＲＦＩＤ）が書き込まれている。符号Ｂは、移動無線通信の基地局であり、公衆の移動通信網に接続されている。符号Ｃは、自動車等の車両に搭載される車載装置である。符号Ｄは、電柱等に設置されたＲＦＩＤ応答器であり、このＲＦＩＤ応答器内には、この電柱の位置の住所識別情報（ＲＦＩＤ）が書き込まれている。
【００１１】
符号１は、車載装置Ｃの処理動作を統括して処理する信号処理部である。符号２は、基地局Ｂとの間で無線通信回線を確立して情報通信を行う無線通信部である。符号３は、所定の読み取り可能エリア（例えば、半径１０ｍ）内に対して、応答要求信号を送信し、この応答要求信号に応じて、ＲＦＩＤ応答器が応答したＲＦＩＤを受信することにより、ＲＦＩＤ応答器に書き込まれているＲＦＩＤを読み取るＲＦＩＤリーダである。符号４は、車載装置Ｃが搭載される車両内の機器と接続するための外部インタフェースである。符号５は、車載装置Ｃが搭載される車両を運転することができる運転者の認証を行うための個人認証ＩＤ及び無線通信部２によって通報を行う場合の連絡先情報（移動通信の電話番号）が記憶される記憶部である。符号６は、位置認証ＩＤ（住所情報）を読み書きするための記憶部であり、少なくとも２つの位置認証ＩＤが記憶可能である。符号７は、車載装置を動作させるために、車両に搭載されたバッテリとは別に備えられた補助バッテリであり、車両のバッテリが取り外されてしまっても車載装置Ｃを動作可能とするための電力を供給するものである。
【００１２】
次に、各ＲＦＩＤ応答器内に記憶されるＲＦＩＤと、記憶部５内に記憶される個人認証ＩＤ及び連絡先情報について説明する。免許証Ａ内に備えられたＲＦＩＤ応答器内に書き込まれた免許証識別情報は、免許証を一意に特定することができる免許証番号と、応答した内容が免許証識別情報であることをＲＦＩＤリーダ３が認識することができる応答内容識別情報とからなる。なお、免許証Ａ内のＲＦＩＤ応答器内には、これらの情報に加え、免許証所有者の氏名、年齢、親族名、電話番号、メールアドレス、血液型、勤務先または通学先、契約先保険会社、車両のナンバー等が書き込まれていてもよい。また、電柱等に設置されるＲＦＩＤ応答器内には、このＲＦＩＤ応答器が設置されている場所の住所識別情報（例えば、東京都中央区○○○１−１−１等）と、応答した内容が住所識別情報であることをＲＦＩＤリーダ３が認識することができる応答内容識別情報とが書き込まれている。
【００１３】
一方、記憶部５には、予め登録しておいた複数の免許証番号（個人認証ＩＤ）と、車両が盗難に遭ったと判断された場合の緊急通報先の電話番号とが記憶される。記憶部５に記憶される複数の免許証番号（個人認証ＩＤ）は、車載装置Ｃが搭載される車両を運転することを認めた運転者の免許証番号であり、車両の所有者が予め登録しておいたものである。また、緊急通報先の電話番号についても車両の所有者が予め緊急連絡先を任意に選択して登録しておいたものである。
【００１４】
次に、図２を参照して、図１に示す車載装置Ｃの動作を説明する。まず、運転者は、自己の運転免許証を携帯して車両に乗り込み、イグニッションキーをＯＮにする。信号処理部１は、外部インタフェース４を介して、イグニッションキーがＯＮになったことを検知する（ステップＳ１）と、ＲＦＩＤリーダ３に対して、免許証識別情報の読み取りを指示する。ＲＦＩＤリーダ３は、信号処理部１から免許証識別情報の読み取りの指示を受けると、所定の読み取り可能エリア（例えば、半径１０ｍ）内に対して、応答要求信号を送信し、ＲＦＩＤ応答器から応答が送信されるのを所定時間だけ待機し、ＲＦＩＤが読み出させたか否かを判定する（ステップＳ２）。このとき、ＲＦＩＤリーダ３は、ＲＦＩＤ応答器が応答した情報内の応答内容識別情報に基づいて、読み出されたＲＦＩＤが免許証識別情報であるか否かを判定し、免許証識別情報が読み出せたか否かを判定する。この判定の結果、ＲＦＩＤが読み出させなければ、ＲＦＩＤリーダ３は、ＲＦＩＤが読み出せないことを信号処理部１へ通知する。これを受けて、信号処理部１は、記憶部５に記憶されている連絡先情報を読み出し、この読み出した連絡先情報と、免許証識別情報が読み出せなかったことを示す情報とを無線通信部２へ出力する。これを受けて、無線通信部２は、信号処理部１から出力された連絡先情報に基づいて、緊急連絡先の電話番号をダイヤルして、緊急連絡先へ電話をかけて、免許証Ａを携帯していない者がイグニッションキーをＯＮにしたことを通知する（ステップＳ９）。
【００１５】
次に、ＲＦＩＤを読み出すことができた場合、ＲＦＩＤリーダ３は、読み出したＲＦＩＤ（免許証識別情報）を信号処理部１へ出力する。これを受けて、信号処理部１は、ＲＦＩＤリーダ３から出力された免許証識別情報が、記憶部５に記憶されている免許証番号と一致するか否かを判定する（ステップＳ３）。この判定の結果、読み出された免許証識別情報と一致する免許証番号は記憶部５に記憶されていなかった場合、信号処理部１は、記憶部５に記憶されている連絡先情報を読み出し、この読み出した連絡先情報と、認められていない運転者がイグニッションキーをＯＮにしたことを示す情報とを無線通信部２へ出力する。これを受けて、無線通信部２は、信号処理部１から出力された連絡先情報に基づいて、緊急連絡先の電話番号をダイヤルして、緊急連絡先へ電話をかけて、運転することを認められていない者がイグニッションキーをＯＮにしたことを通知する（ステップＳ９）。
【００１６】
次に、読み出された免許証識別情報と一致する免許証番号は記憶部５に記憶されていた場合、信号処理部１は、セキュリティを解除して、外部インタフェース４を介して、イグニッションキーをＯＮしたことによりエンジンを始動することを許可する（ステップＳ４）。これにより、エンジンが始動されて、車両が走行可能となる。この処理と並行して、ＲＦＩＤリーダ３は、所定時間（例えば１分）毎に、応答要求信号を送信し、ＲＦＩＤ応答器から応答が送信されるのを所定時間だけ待機してＲＦＩＤの読み出しを試みる（ステップＳ５）。そして、ＲＦＩＤリーダ３は、ＲＦＩＤが読み出させたか否かを判定する（ステップＳ６）。このとき、ＲＦＩＤリーダ３は、ＲＦＩＤ応答器が応答した情報内の応答内容識別情報に基づいて、読み出されたＲＦＩＤが住所識別情報であるか否かを判定し、住所識別情報が読み出せたか否かを判定する。この判定の結果、ＲＦＩＤが読み出させなければ、ＲＦＩＤリーダ３は、所定時間後に再びＲＦＩＤの読み出しを試みる（ステップＳ５）。
【００１７】
一方、住所識別情報が読み出せた場合、ＲＦＩＤリーダ３は、この住所識別情報を信号処理部１へ出力する。これを受けて、信号処理部１は、この住所識別情報を記憶部６に記憶するとともに、直前に記憶された住所識別情報と、新たに記憶された住所識別情報とを比較し、同一の住所識別情報であるか否かに基づいて、車両が移動したか否かを判定する（ステップＳ７）。この判定の結果、直前に記憶された住所識別情報と、新たに記憶された住所識別情報とが一致した場合、車両は移動していないと判断し、ＲＦＩＤリーダ３から新たな住所識別情報が出力されるのを待つ。
【００１８】
次に、直前に記憶された住所識別情報と、新たに記憶された住所識別情報とが一致しない場合、車両が移動したものと判断し、信号処理部１は、セキュリティが解除されたか（ステップＳ４の処理が実行済みか）を判定する（ステップＳ８）。すなわち、運転することが認められている運転者が車両を運転することによって車両が移動しているのか否かを判定する。この判定の結果、セキュリティが解除されて車両が移動しているのであれば、処理を繰り返す。
【００１９】
一方、セキュリティが解除されていない状態において、車両が移動している場合、信号処理部１は、不正にエンジンが始動されたか、車両を運搬車等で運搬していると見なして、記憶部５に記憶されている連絡先情報を読み出し、この読み出した連絡先情報と、セキュリティが解除されていない状態で車両が移動していることを示す情報と、読み出された住所識別情報とを無線通信部２へ出力する。これを受けて、無線通信部２は、信号処理部１から出力された連絡先情報に基づいて、緊急連絡先の電話番号をダイヤルして、緊急連絡先へ電話をかけて、セキュリティが解除されていない状態で車両が移動していることを通知するとともに、住所識別情報に基づいて車両の現在位置を通知する（ステップＳ９）。
【００２０】
このように、イグニッションがＯＮになったことを検知した場合に、ＲＦＩＤリーダ３の読み取り可能エリア内に存在する免許証内に書き込まれた免許証識別情報を読み取り、この免許証識別情報が予め登録された免許証番号と一致した場合に、エンジンの始動を許可するようにし、運転が認められていない運転者がエンジンを始動しようとした場合に、エンジン始動を許可せずに緊急通報を行うようにしたため、合い鍵等を使用した車両盗難を未然に防止することが可能となる。また、車両の始動が許可されていない状態において、車両が移動していることを検知した場合に緊急通報を行うようにしたため、盗難に遭ったことを通報することができるとともに、車両の現在位置を速やかに知ることが可能となる。
【００２１】
なお、免許証内に書き込まれた情報と記憶部５に記憶されている個人認証ＩＤとを照合して始動許可を行う場合に、対象の車両に対して加入している自動車保険の条件を満足しているか否かに基づいた個人認証ＩＤを記憶部５に予め登録しておけば、対象の車両が加入している自動車保険の条件を満足している運転者のみに始動を許可することが可能となる。
【００２２】
また、図１における処理部の機能を実現するためのプログラムをコンピュータ読み取り可能な記録媒体に記録して、この記録媒体に記録されたプログラムをコンピュータシステムに読み込ませ、実行することにより盗難防止処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２４】
【図１】本発明の一実施形態の構成を示すブロック図である。
【図２】図１に示す車載装置Ｃの動作を示すフローチャートである。
【符号の説明】
【００２５】
Ａ・・・免許証、Ｂ・・・基地局、Ｃ・・・車載装置、Ｄ・・・ＲＦＩＤ応答器、１・・・信号処理部、２・・・無線通信部、３・・・ＲＦＩＤリーダ、４・・・外部インタフェース、５、６・・・記憶部、７・・・補助バッテリ
【図１】
2007290594.tif 000003
【図２】
2007290594.tif 000004